(57)【要約】【課題】述語と組み合わせとなる、一人称又は二人称である項を精度よく推定することができる。【解決手段】置換部２８が、テキストに対して述語項解析を行って得られた述語と項とのペアの各々について、指定代名詞リストに基づいて、項を、疑似一人称又は疑似二人称に置き換えたデータを作成し、選択選好モデル学習部３０が、述語と項とのペアの各々と、ペアの各々について作成されたデータとに基づいて、選択選好モデルを学習する。素性抽出部３６が、述語と項候補とのペアの各々について、選択選好モデルを用いて推定されるスコアを含む素性を抽出し、項選択モデル学習部３８が、述語と前記項候補とのペアの各々について抽出された素性と、項候補に予め付与された正解とに基づいて、項選択モデルを学習する。【選択図】図１
2018077780.tif 000002
【特許請求の範囲】
【請求項１】
テキストに対して述語項解析を行って得られた述語と項とのペアの各々について、各項について一人称又は二人称を対応付けた指定代名詞リストに基づいて、前記項を、疑似一人称又は疑似二人称に置き換えたデータを作成する置換部と、
前記述語と項とのペアの各々と、前記ペアの各々について作成されたデータとに基づいて、述語、名詞句、及び格の組み合わせの尤もらしさを表すスコアを推定するための選択選好モデルを学習する選択選好モデル学習部と、
述語と疑似一人称又は疑似二人称を含む項候補とのペアの各々について、前記選択選好モデルを用いて推定されるスコアを含む素性を抽出する素性抽出部と、
述語と前記項候補とのペアの各々について抽出された素性と、正解となる前記項候補に予め付与された正解とに基づいて、前記項候補から述語と組み合わせとなる項を選択する項選択モデルを学習する項選択モデル学習部と、
を含む項推定モデル学習装置。
【請求項２】
前記選択選好モデルを、述語、名詞句、及び格の各々をベクトル化し、述語、名詞句、及び格の組み合わせの尤もらしさを表すスコアを推定するニューラルネットワークとした請求項１記載の項推定モデル学習装置。
【請求項３】
入力テキストから述語を抽出する述語抽出部と、
前記抽出された述語と疑似一人称又は疑似二人称を含む項候補とのペアの各々について、述語、名詞句、及び格の組み合わせの尤もらしさを表すスコアを推定するための予め学習された選択選好モデルを用いて推定されるスコアを含む素性を抽出する素性抽出部と、
前記抽出された述語と前記項候補とのペアの各々について抽出された素性と、前記項候補から述語と組み合わせとなる項を選択するための予め学習された項選択モデルとに基づいて、前記項候補から、前記抽出された述語と組み合わせとなる項を選択する項推定部と、
を含む項推定装置。
【請求項４】
前記選択選好モデルを、述語、名詞句、及び格の各々をベクトル化し、述語、名詞句、及び格の組み合わせの尤もらしさを表すスコアを推定するニューラルネットワークとした請求項３記載の項推定装置。
【請求項５】
置換部が、テキストに対して述語項解析を行って得られた述語と項とのペアの各々について、各項について一人称又は二人称を対応付けた指定代名詞リストに基づいて、前記項を、疑似一人称又は疑似二人称に置き換えたデータを作成し、
選択選好モデル学習部が、前記述語と項とのペアの各々と、前記ペアの各々について作成されたデータとに基づいて、述語、名詞句、及び格の組み合わせの尤もらしさを表すスコアを推定するための選択選好モデルを学習し、
素性抽出部が、述語と疑似一人称又は疑似二人称を含む項候補とのペアの各々について、前記選択選好モデルを用いて推定されるスコアを含む素性を抽出し、
項選択モデル学習部が、述語と前記項候補とのペアの各々について抽出された素性と、正解となる前記項候補に予め付与された正解とに基づいて、前記項候補から述語と組み合わせとなる項を選択する項選択モデルを学習する
項推定モデル学習方法。
【請求項６】
述語抽出部が、入力テキストから述語を抽出し、
素性抽出部が、前記抽出された述語と疑似一人称又は疑似二人称を含む項候補とのペアの各々について、述語、名詞句、及び格の組み合わせの尤もらしさを表すスコアを推定するための予め学習された選択選好モデルを用いて推定されるスコアを含む素性を抽出し、
項推定部が、前記抽出された述語と前記項候補とのペアの各々について抽出された素性と、前記項候補から述語と組み合わせとなる項を選択するための予め学習された項選択モデルとに基づいて、前記項候補から、前記抽出された述語と組み合わせとなる項を選択する
項推定方法。
【請求項７】
コンピュータを、請求項１若しくは２に記載の項推定モデル学習装置の各部、又は請求項３若しくは４に記載の項推定装置の各部として機能させるためのプログラム。
【発明の詳細な説明】
【技術分野】
【０００１】
本発明は、項推定モデル学習装置、項推定装置、方法、及びプログラムに関する。
【背景技術】
【０００２】
従来より、非特許文献１では、外界照応と項推定を同時に行う分類モデルとして定義している。まず述部抽出を行い、その後、観測名詞句＋特殊名詞句のランキング問題として格推定を行う（図９参照）。
【０００３】
また、係り受け言語モデルでは、大規模平文コーパスに対し、既存解析器で述語項構造解析したデータから、項と述語の組み合わせの確率を計算する。これにより、述語に対する名詞句のかかりやすさを計算することができる（図１０参照）。
【０００４】
ニューラルネットワークを用いた選択選好モデルが知られており、選択選好モデルは、SVOの三つ組みなど、述語と項の組み合わせに関して、組み合わせの尤もらしさを評価することができるモデルである（図１１）。選択選好モデルは、入力単語をベクトル化するので未知の語にも頑健に動作する。
【先行技術文献】
【非特許文献】
【０００５】
【非特許文献１】今村賢治,東中竜一郎,泉朋子，"ゼロ代名詞照応付き述語項構造解析の対話への適応", The Association for Natural Language Processing, 2014.
【非特許文献２】Tim Van de Cruys, " A Neural Network Approach to Selectional Preference Acquisition", Proceedings of the 2014 Conference on Empirical Methods in Natural Language Processing (EMNLP), pages 26-35, October 25-29, 2014.
【発明の概要】
【発明が解決しようとする課題】
【０００６】
上記の従来技術では、項の選択においては述語に対する項のかかりやすさを評価するためのモデルを用いることが重要となるため、係り受け言語モデルや選択選好モデルなどが利用されてきた。
【０００７】
しかし、I、YOUなどの一人称・二人称の外界照応は大規模な平文コーパスには明示的に出現しないため、大量のテキストから述語に対するI、Youのかかりやすさを直接求めることができない。
【０００８】
本発明は、上記問題点を解決するために成されたものであり、述語と組み合わせとなる、一人称又は二人称である項を精度よく推定することができる項推定モデル学習装置、項推定装置、方法、及びプログラムを提供することを目的とする。
【課題を解決するための手段】
【０００９】
上記目的を達成するために、本発明に係る項推定モデル学習装置は、テキストに対して述語項解析を行って得られた述語と項とのペアの各々について、各項について一人称又は二人称を対応付けた指定代名詞リストに基づいて、前記項を、疑似一人称又は疑似二人称に置き換えたデータを作成する置換部と、前記述語と項とのペアの各々と、前記ペアの各々について作成されたデータとに基づいて、述語、名詞句、及び格の組み合わせの尤もらしさを表すスコアを推定するための選択選好モデルを学習する選択選好モデル学習部と、述語と疑似一人称又は疑似二人称を含む項候補とのペアの各々について、前記選択選好モデルを用いて推定されるスコアを含む素性を抽出する素性抽出部と、述語と前記項候補とのペアの各々について抽出された素性と、正解となる前記項候補に予め付与された正解とに基づいて、前記項候補から述語と組み合わせとなる項を選択する項選択モデルを学習する項選択モデル学習部と、を含んで構成されている。
【００１０】
本発明に係る項推定モデル学習方法は、置換部が、テキストに対して述語項解析を行って得られた述語と項とのペアの各々について、各項について一人称又は二人称を対応付けた指定代名詞リストに基づいて、前記項を、疑似一人称又は疑似二人称に置き換えたデータを作成し、選択選好モデル学習部が、前記述語と項とのペアの各々と、前記ペアの各々について作成されたデータとに基づいて、述語、名詞句、及び格の組み合わせの尤もらしさを表すスコアを推定するための選択選好モデルを学習し、素性抽出部が、述語と疑似一人称又は疑似二人称を含む項候補とのペアの各々について、前記選択選好モデルを用いて推定されるスコアを含む素性を抽出し、項選択モデル学習部が、述語と前記項候補とのペアの各々について抽出された素性と、正解となる前記項候補に予め付与された正解とに基づいて、前記項候補から述語と組み合わせとなる項を選択する項選択モデルを学習する。
【００１１】
本発明に係る項推定装置は、入力テキストから述語を抽出する述語抽出部と、前記抽出された述語と疑似一人称又は疑似二人称を含む項候補とのペアの各々について、述語、名詞句、及び格の組み合わせの尤もらしさを表すスコアを推定するための予め学習された選択選好モデルを用いて推定されるスコアを含む素性を抽出する素性抽出部と、前記抽出された述語と前記項候補とのペアの各々について抽出された素性と、前記項候補から述語と組み合わせとなる項を選択するための予め学習された項選択モデルとに基づいて、前記項候補から、前記抽出された述語と組み合わせとなる項を選択する項推定部と、を含んで構成されている。
【００１２】
本発明に係る項推定方法は、述語抽出部が、入力テキストから述語を抽出し、素性抽出部が、前記抽出された述語と疑似一人称又は疑似二人称を含む項候補とのペアの各々について、述語、名詞句、及び格の組み合わせの尤もらしさを表すスコアを推定するための予め学習された選択選好モデルを用いて推定されるスコアを含む素性を抽出し、項推定部が、前記抽出された述語と前記項候補とのペアの各々について抽出された素性と、前記項候補から述語と組み合わせとなる項を選択するための予め学習された項選択モデルとに基づいて、前記項候補から、前記抽出された述語と組み合わせとなる項を選択する。
【００１３】
本発明に係るプログラムは、コンピュータを、上記発明に係る項推定モデル学習装置又は上記発明に係る項推定装置の各部として機能させるためのプログラムである。
【発明の効果】
【００１４】
本発明の項推定モデル学習装置、方法、及びプログラムによれば、述語と項とのペアの各々について、指定代名詞リストに基づいて、前記項を、疑似一人称又は疑似二人称に置き換えたデータを作成して、述語、名詞句、及び格の組み合わせの尤もらしさを表すスコアを推定するための選択選好モデルを学習し、述語と項候補とのペアの各々について、選択選好モデルを用いて推定されるスコアを含む素性を抽出し、項候補から述語と組み合わせとなる項を選択する項選択モデルを学習することにより、述語と組み合わせとなる、一人称又は二人称である項を精度よく推定することができるモデルを学習することができる、という効果が得られる。
【００１５】
また、本発明の項推定装置、方法、及びプログラムによれば、入力テキストから述語を抽出し、抽出された述語と疑似一人称又は疑似二人称を含む項候補とのペアの各々について、選択選好モデルを用いて推定されるスコアを含む素性を抽出し、項選択モデルに基づいて、項候補から、抽出された述語と組み合わせとなる項を選択することにより、述語と組み合わせとなる、一人称又は二人称である項を精度よく推定することができる、という効果が得られる。
【図面の簡単な説明】
【００１６】
【図１】本発明の実施の形態に係る項推定モデル学習装置の構成を示すブロック図である。
【図２】指定代名詞リストの一例を示す図である。
【図３】述語項構造解析結果の一例及び置換した結果の一例を示す図である。
【図４】選択選好モデルの一例を示す図である。
【図５】項選択モデルを学習する方法を説明するための図である。
【図６】本発明の実施の形態に係る項推定装置の構成を示すブロック図である。
【図７】本発明の実施の形態に係る項推定モデル学習装置における項推定モデル学習処理ルーチンを示すフローチャートである。
【図８】本発明の実施の形態に係る項推定装置における項推定処理ルーチンを示すフローチャートである。
【図９】従来技術を説明するための説明図である。
【図１０】従来技術を説明するための説明図である。
【図１１】従来技術を説明するための説明図である。
【発明を実施するための形態】
【００１７】
以下、図面を参照して本発明の実施の形態を詳細に説明する。
【００１８】
＜本発明の実施の形態の概要＞
本発明の実施の形態は、対話データに対する述語項構造解析において自分を表す一人称（I），相手を表す二人称（You）の特殊な外界照応を精度よく求めるための技術である。
【００１９】
例えば、テキスト「いつまでに郵送すればよいですか？」に対して、述語項構造「I[ガ] 郵送する」を求める。また、テキスト「この住所に送ってください」に対して、述語項構造「YOU[ガ]送る」を求める。
【００２０】
なお、本実施の形態では、述語項構造解析とは、入力文に対し、述語と対応する項（格）を推定する技術のことをいい、主な格としてはガ、ヲ、二格の3つが存在する。例えば、入力文「私はカレーを食べた」に対して、述語項構造「私[ガ]  カレー[ヲ]  食べる」を推定する。
【００２１】
また、日本語の述語項構造解析では、項の省略が頻繁に発生する。この、省略された項が何であるかを推定することをゼロ照応解析と呼ぶ。例えば、テキスト「先週ハワイに行った。とても暑かった。」に対して、ゼロ照応解析結果「ハワイ[ニ]  行く，  ハワイ[ガ]  暑い」を求める。
【００２２】
また、述語項構造解析における外界照応とは、先行詞が記事内に現れないゼロ照応を指す。対話においては、一人称・二人称代名詞が省略されることも多く、非特許文献１などでは、対話用の外界照応として一人称（I）、二人称（You）を分けて推定している。
【００２３】
本発明の実施の形態では、I、Youなどに成りえる代名詞をあらかじめ設定し、その集合に対して代名詞をI、Youで置き換えたデータを作成し、ニューラルネットワークに基づく選択選好モデルを推定する。これにより、I、Youにかかりやすい述語、さらにはI・YOUのどちらにかかりやすいかのモデルを学習することができる。また、ニューラルネットワークのモデルを用いることで入力をベクトル化するため、学習データに存在しなかった語にも頑健に動作する。
【００２４】
＜本発明の実施の形態に係る項推定モデル学習装置の構成＞
次に、本発明の実施の形態に係る項推定モデル学習装置の構成について説明する。図１に示すように、本発明の実施の形態に係る項推定モデル学習装置１００は、ＣＰＵと、ＲＡＭと、後述する項推定モデル学習処理ルーチンを実行するためのプログラムや各種データを記憶したＲＯＭと、を含むコンピュータで構成することが出来る。この項推定モデル学習装置１００は、機能的には図１に示すように入力部１０と、演算部２０と、出力部４２とを備えている。
【００２５】
入力部１０は、各代名詞について一人称又は二人称を対応付けた指定代名詞リストを受け付ける。指定代名詞リストは、例えば、図２に示すような、一人称・二人称に対応する代名詞（名詞）のリストである。
【００２６】
演算部２０は、指定代名詞リスト記憶部２２と、大規模コーパス２４と、述語項構造解析部２６と、置換部２８と、選択選好モデル学習部３０と、選択選好モデル記憶部３２と、項選択モデル学習データ記憶部３４と、素性抽出部３６と、項選択モデル学習部３８と、項選択モデル記憶部４０とを備えている。
【００２７】
指定代名詞リスト記憶部２２は、入力部１０により受け付けた指定代名詞リストを記憶している。
【００２８】
述語項構造解析部２６は、大規模コーパス２４に対して既存の解析器を用いて述語項構造解析する。例えば、図３に示すように、大規模コーパス２４に含まれる入力文の各々に対して、述語項構造解析を行って、述語と項とのペアを得る。
【００２９】
置換部２８は、述語項構造解析部２６により得られた述語と項とのペアの各々に対して、指定代名詞リストに基づいて、当該項を、疑似一人称又は疑似二人称に置き換えたデータを作成する。具体的には、述語項構造解析部２６により得られた述語と項とのペアの項の表層が、指定代名詞リストの代名詞、名詞に一致する場合、その項をそれぞれ疑似一人称（I）、疑似二人称（You）に置き換えたデータを作成する（図３参照）。
【００３０】
選択選好モデル学習部３０は、述語項構造解析部２６により得られた述語と項とのペアの各々と、置換部２８によりペアの各々について作成されたデータとを統合し、述語、名詞句、格の組み合わせの尤もらしさを表すスコアを推定するための選択選好モデルを学習する。例えば、図４に示すような、述語、名詞句、及び格の各々をベクトル化し、述語、名詞句、及び格の組み合わせの尤もらしさを表すスコアを推定するニューラルネットワークを、選択選好モデルとして学習する。
【００３１】
選択選好モデル記憶部３２は、選択選好モデル学習部３０により学習された選択選好モデルを記憶している。
【００３２】
項選択モデル学習データ記憶部３４は、述語と疑似一人称及び疑似二人称を含む項候補とのペアを、項選択モデル学習データとして複数記憶している。述語毎に、何れかの項候補に、当該述語と組み合わせとなる項の正解であることが人手で付与されている。なお、項候補には、疑似一人称及び疑似二人称以外に、テキスト中の名詞句、ＮＵＬＬが更に含まれている。
【００３３】
素性抽出部３６は、項選択モデル学習データ記憶部３４に記憶されている項選択モデル学習データの各々について、当該項選択モデル学習データの述語と項候補とのペアに対し、選択選好モデルを用いてスコアを推定すると共に、それ以外の素性を抽出し、当該項選択モデル学習データの素性とする。
【００３４】
項選択モデル学習部３８は、項選択モデル学習データの各々について抽出された素性と、項選択モデル学習データに付与された正解とに基づいて、項候補から述語と組み合わせとなる項を選択する項選択モデルを学習する。
【００３５】
例えば、図５に示すように、述語とそれぞれの項候補のペアに対して、選択選好モデルを用いて推定されるスコアを一つの素性として、正解の項候補が最も上位にくるようにランキング学習を行う。
【００３６】
なお、項選択モデルとしては、素性を入力として述語と項候補の組み合わせを評価するスコアを出力するものであれば、どんなモデルであってもよい。
【００３７】
項選択モデル記憶部４０は、項選択モデル学習部３８によって学習された項選択モデルを記憶している。
【００３８】
出力部４２は、選択選好モデル記憶部３２に記憶されている選択選好モデル、及び項選択モデル記憶部４０に記憶されている項選択モデルを出力する。
【００３９】
＜本発明の実施の形態に係る項推定装置の構成＞
次に、本発明の実施の形態に係る項推定装置の構成について説明する。図６に示すように、本発明の実施の形態に係る項推定装置２００は、ＣＰＵと、ＲＡＭと、後述する項推定処理ルーチンを実行するためのプログラムや各種データを記憶したＲＯＭと、を含むコンピュータで構成することが出来る。この項推定装置２００は、機能的には図６に示すように入力部５０と、演算部６０と、出力部９０とを備えている。
【００４０】
入力部５０は、解析対象である入力テキストを受け付ける。
【００４１】
演算部６０は、述語抽出部６２と、選択選好モデル記憶部６４と、素性抽出部６６と、項選択モデル記憶部６８と、項推定部７０とを備える。
【００４２】
述語抽出部６２は、入力部５０により受け付けた入力テキストから、述語を抽出する。
【００４３】
選択選好モデル記憶部６４は、項推定モデル学習装置１００によって学習された選択選好モデルを記憶している。
【００４４】
素性抽出部６６は、述語抽出部６２によって抽出された述語と、疑似一人称及び疑似二人称を含む項候補とのペアの各々に対し、選択選好モデルを用いてスコアを推定すると共に、それ以外の素性を抽出し、当該ペアの素性とする。なお、項候補には、従来既知の項候補抽出手法によって入力テキスト中から抽出された名詞句、ｅｘｏｇ、ＮＵＬＬが更に含まれている。
【００４５】
項選択モデル記憶部６８は、項推定モデル学習装置１００によって学習された項選択モデルを記憶している。
【００４６】
項推定部７０は、素性抽出部６６によって述語と項候補とのペアの各々について抽出された素性と、項選択モデルとに基づいて、項候補から、抽出された述語と組み合わせとなる項を選択し、抽出された述語と選択された項とのペアを、述語項構造として、出力部９０により出力する。
【００４７】
＜本発明の実施の形態に係る項推定モデル学習装置の作用＞
次に、本発明の実施の形態に係る項推定モデル学習装置１００の作用について説明する。入力部１０において指定代名詞リストを受け付けると、指定代名詞リストが指定代名詞リスト記憶部２２に格納される。そして、項推定モデル学習装置１００は、図７に示す項推定モデル学習処理ルーチンを実行する。
【００４８】
まず、ステップＳ１００で、大規模コーパス２４に対して既存の解析器を用いて述語項構造解析を行って、述語と項とのペアを得る。
【００４９】
ステップＳ１０２で、上記ステップＳ１００で得られた述語と項とのペアの各々に対して、指定代名詞リストに基づいて、当該項を、疑似一人称及び疑似二人称の各々に置き換えたデータを作成する。
【００５０】
ステップＳ１０４では、上記ステップＳ１００で得られた述語と項とのペアの各々と、上記ステップＳ１０２で作成されたデータとを統合し、述語、名詞句、及び格の組み合わせの尤もらしさを表すスコアを推定するための選択選好モデルを学習して、選択選好モデル記憶部３２に格納する。
【００５１】
ステップＳ１０６では、項選択モデル学習データ記憶部３４に記憶されている項選択モデル学習データの各々について、当該項選択モデル学習データの述語と項候補とのペアに対し、上記ステップＳ１０４で学習された選択選好モデルを用いてスコアを推定すると共に、それ以外の素性を抽出し、当該項選択モデル学習データの素性とする。
【００５２】
ステップＳ１０８では、上記ステップＳ１０６で項選択モデル学習データの各々について抽出された素性と、項選択モデル学習データに付された正解とに基づいて、項候補から述語と組み合わせとなる項を選択する項選択モデルを学習し、項選択モデル記憶部４０に格納して、項推定モデル学習処理ルーチンを終了する。
【００５３】
＜本発明の実施の形態に係る項推定装置の作用＞
次に、本発明の実施の形態に係る項推定装置２００の作用について説明する。項推定モデル学習装置１００によって予め学習された、選択選好モデル及び項選択モデルが項推定装置２００に入力されると、項推定装置２００は、選択選好モデルを、選択選好モデル記憶部６４へ格納し、項選択モデルを、項選択モデル記憶部６８に格納する。そして、入力部１０が入力テキストを受け付けると、項推定装置２００は、図８に示す項推定処理ルーチンを実行する。
【００５４】
ステップＳ１１０で、入力部５０により受け付けた入力テキストから、述語を抽出する。
【００５５】
ステップＳ１１２では、上記ステップＳ１１０で抽出された述語と、疑似一人称及び疑似二人称を含む項候補とのペアの各々に対し、選択選好モデルを用いてスコアを推定すると共に、それ以外の素性を抽出し、当該ペアの素性とする。
【００５６】
ステップＳ１１４では、上記ステップＳ１１２で述語と項候補とのペアの各々について抽出された素性と、項選択モデルとに基づいて、項候補から、抽出された述語と組み合わせとなる項を選択する。
【００５７】
ステップＳ１１６では、上記ステップＳ１１０で抽出された述語と上記ステップＳ１１４で選択された項とのペアを、述語項構造として、出力部９０により出力して、項推定処理ルーチンを終了する。
【００５８】
以上説明したように、本発明の実施の形態に係る項推定モデル学習装置によれば、述語と項とのペアの各々について、指定代名詞リストに基づいて、項を、疑似一人称又は疑似二人称に置き換えたデータを作成して、述語、名詞句、及び格の組み合わせの尤もらしさを表すスコアを推定するための選択選好モデルを学習し、述語と項候補とのペアの各々について、選択選好モデルを用いて推定されるスコアを含む素性を抽出し、項候補から述語と組み合わせとなる項を選択する項選択モデルを学習することにより、述語と組み合わせとなる、一人称又は二人称である項を精度よく推定することができるモデルを学習することができる。
【００５９】
また、従来技術で素性として大規模データをうまく活用できていなかった一人称・二人称の外界照応に関して、あらかじめ設定した代名詞をI，YOUに置き換えたデータを自動生成し、ニューラルネットワークに基づく選択選好モデルを学習する。この選択選好モデルを、述語項構造解析の素性として導入することによって、I，Youの外界照応の識別性能が向上する。
【００６０】
また、本発明の実施の形態に係る項推定装置によれば、入力テキストから述語を抽出し、抽出された述語と疑似一人称又は疑似二人称を含む項候補とのペアの各々について、選択選好モデルを用いて推定されるスコアを含む素性を抽出し、項選択モデルに基づいて、項候補から、抽出された述語と組み合わせとなる項を選択することにより、述語と組み合わせとなる、一人称又は二人称である項を精度よく推定することができる。
【００６１】
なお、本発明は、上述した実施の形態に限定されるものではなく、この発明の要旨を逸脱しない範囲内で様々な変形や応用が可能である。
【００６２】
例えば、上述した実施の形態では、上述の項推定装置２００は、選択選好モデル記憶部６４、及び項選択モデル記憶部６８を備えている場合について説明したが、例えば選択選好モデル記憶部６４、及び項選択モデル記憶部６８の少なくとも１つが項推定装置２００の外部装置に設けられ、項推定装置２００は、外部装置と通信手段を用いて通信することにより、選択選好モデル記憶部６４、及び項選択モデル記憶部６８を参照するようにしてもよい。
【００６３】
また、上述の項推定モデル学習装置１００についても、外部装置に設けられた、指定代名詞リスト記憶部２２、大規模コーパス２４、及び項選択モデル学習データ記憶部３４の少なくとも１つと通信手段を用いて通信することにより、指定代名詞リスト記憶部２２、大規模コーパス２４、及び項選択モデル学習データ記憶部３４を参照するようにしてもよい。
【００６４】
また、上記実施の形態では、項推定装置２００と項推定モデル学習装置１００とを別々の装置として構成する場合を例に説明したが、項推定装置２００と項推定モデル学習装置１００とを１つの装置として構成してもよい。
【００６５】
上述の項推定モデル学習装置及び項推定装置は、内部にコンピュータシステムを有しているが、「コンピュータシステム」は、ＷＷＷシステムを利用している場合であれば、ホームページ提供環境（あるいは表示環境）も含むものとする。
【符号の説明】
【００６６】
１０、５０    入力部
２０、６０    演算部
２２   指定代名詞リスト記憶部
２４   大規模コーパス
２６   述語項構造解析部
２８   置換部
３０   選択選好モデル学習部
３２、６４    選択選好モデル記憶部
３４   項選択モデル学習データ記憶部
３６、６６    素性抽出部
３８   項選択モデル学習部
４０、６８    項選択モデル記憶部
４２、９０    出力部
６２   述語抽出部
７０   項推定部
１００ 項推定モデル学習装置
２００ 項推定装置
【図１】
2018077780.tif 000003
【図２】
2018077780.tif 000004
【図３】
2018077780.tif 000005
【図４】
2018077780.tif 000006
【図５】
2018077780.tif 000007
【図６】
2018077780.tif 000008
【図７】
2018077780.tif 000009
【図８】
2018077780.tif 000010
【図９】
2018077780.tif 000011
【図１０】
2018077780.tif 000012
【図１１】
2018077780.tif 000013